(57)【要約】【課題】正確な補正及び利便的な操作を実現することが可能な多光源補正装置及びその使用方法を提供する。【解決手段】多光源補正装置１０は、第１補正パターン１２と、第２補正パターン１３と、少なくとも１つの第３補正パターン１４とを備える光透過性シート１を含み、第１補正パターン１２は、第１直線１２１を有し、第１直線１２１の両端には、第１端点１２１１と、第２端点１２１２とが形成され、第２補正パターン１３は、第２直線１３１と、２つのＵ字形フレーム１３２とを有し、第２直線１３１の両端には、第３端点１３１１と、第４端点１３１２とが形成され、２つのＵ字形フレーム１３２は、第３端点１３１１及び第４端点１３１２の外部にそれぞれ設けられ、第３補正パターン１４は、第３直線１４１を有し、第３直線１４１の両端には、第５端点１４１１と、第６端点１４１２とが形成される。【選択図】図３
2019006098.tif 000002
【特許請求の範囲】
【請求項１】
第１補正パターン（１２）と、第２補正パターン（１３）と、少なくとも１つの第３補正パターン（１４）とを備える光透過性シート（１）を含み、
前記第１補正パターン（１２）は、第１直線（１２１）を有し、
前記第１直線（１２１）の両端には、第１端点（１２１１）と、第２端点（１２１２）とが形成され、
前記第２補正パターン（１３）は、第２直線（１３１）と、２つのＵ字形フレーム（１３２）とを有し、
前記第２直線（１３１）の両端には、第３端点（１３１１）と、第４端点（１３１２）とが形成され、
前記２つのＵ字形フレーム（１３２）は、前記第３端点（１３１１）及び前記第４端点（１３１２）の外部にそれぞれ設けられ、
前記第３補正パターン（１４）は、第３直線（１４１）を有し、
前記第３直線（１４１）の両端には、第５端点（１４１１）と、第６端点（１４１２）とが形成され、
前記第１直線（１２１）、前記第２直線（１３１）及び前記第３直線（１４１）は、互いに平行に配置されることを特徴とする多光源補正装置。
【請求項２】
前記第１直線（１２１）、前記第２直線（１３１）及び前記第３直線（１４１）の長さが互いに等しく、
前記第１直線（１２１）と前記第２直線（１３１）とは、位置合わせして設置され、
前記第２直線（１３１）と前記第３直線（１４１）とは、位置ずれして配置されることを特徴とする請求項１に記載の多光源補正装置。
【請求項３】
前記光透過性シート（１）は、第４補正パターン（１５）をさらに備え、
前記第４補正パターン（１５）は、第４直線（１５１）と、当該第４直線（１５１）の上下側に間隔をおいて交互に配列される複数の黒セル（１５２）と、を有し、
前記第４直線（１５１）と前記複数の黒セル（１５２）との間には、複数の交点（１５３）を有することを特徴とする請求項１に記載の多光源補正装置。
【請求項４】
前記第１補正パターン（１２）は、第１リングフレーム（１２２）をさらに有し、
前記第１直線（１２１）の前記第２端点（１２１２）に近い端部は、第１リングフレーム（１２２）内に収容され、
前記第２端点（１２１２）は、前記第１リングフレーム（１２２）上に重畳して設けられることを特徴とする請求項１に記載の多光源補正装置。
【請求項５】
前記第２補正パターン（１３）は、第２リングフレーム（１３３）をさらに有し、
前記第２リングフレーム（１３３）は、前記２つのＵ字形フレーム（１３２）の一方の内部の中間部に収容され、
前記第２直線（１３１）の前記第４端点（１３１２）に近い端部は、前記第２リングフレーム（１３３）内に収容され、
前記第４端点（１３１２）は、前記第２リングフレーム（１３３）上に重畳して設けられることを特徴とする請求項１に記載の多光源補正装置。
【請求項６】
前記第３補正パターン（１４）は、２つの第３リングフレーム（１４２）をさらに有し、
前記第３直線（１４１）の両端部は、前記２つの第３リングフレーム（１４２）内にそれぞれ収容され、
前記第５端点（１４１１）は、前記２つの第３リングフレーム（１４２）の一方上に重畳して設けられ、
前記第６端点（１４１２）は、前記２つの第３リングフレーム（１４２）の他方上に重畳して設けられることを特徴とする請求項１に記載の多光源補正装置。
【請求項７】
前記光透過性シート（１）は、中空リベット（１６）と、光透過性回転シート（１７）と、光透過性並進シート（１８）と、シールシート（１９）とを含み、
前記中空リベット（１６）は、中空口（１６１）を有し、
前記光透過性回転シート（１７）と、前記光透過性並進シート（１８）とは、互いに重畳して設けられ、前記中空リベット（１６）に嵌合され、
前記シールシート（１９）は、前記中空リベット（１６）貼着され、前記中空口（１６１）を覆い、
前記第１直線（１２１）の一部、前記第２端点（１２１２）、前記第２補正パターン（１３）及び前記第３補正パターン（１４）は、前記光透過性回転シート（１７）上に形成され、前記第１直線（１２１）の他の一部及び前記第１端点（１２１１）は、前記シールシート（１９）上に形成されることを特徴とする請求項１に記載の多光源補正装置。
【請求項８】
多光源補正装置（１０）を提供する工程であって、当該多光源補正装置（１０）は、第１補正パターン（１２）と、第２補正パターン（１３）と、少なくとも１つの第３補正パターン（１４）とを備える光透過性シート（１）を含み、前記第１補正パターン（１２）は、第１直線（１２１）を有し、当該第１直線（１２１）の両端には、第１端点（１２１１）と、第２端点（１２１２）とが形成され、前記第２補正パターン（１３）は、第２直線（１３１）と、２つのＵ字形フレーム（１３２）とを有し、前記第２直線（１３１）の両端には、第３端点（１３１１）と、第４端点（１３１２）とが形成され、前記２つのＵ字形フレーム（１３２）は、前記第３端点（１３１１）及び前記第４端点（１３１２）の外部にそれぞれ設けられ、前記第３補正パターン（１４）は、第３直線（１４１）を有し、前記第３直線（１４１）の両端には、第５端点（１４１１）と、第６端点（１４１２）とが形成され、前記第１直線（１２１）、前記第２直線（１３１）及び前記第３直線（１４１）は、互いに平行に配置される工程ａと、
光源モジュール（１００）を提供する工程であって、当該光源モジュール（１００）は、ステージ（１０１）と、第１光源（１０２）と、少なくとも１つの第２光源（１０３）とを含み、前記第１光源（１０２）及び前記第２光源（１０３）は、前記ステージ（１０１）上にそれぞれ取り付けられ、前記第１光源（１０２）が第１末端画素（１０２２）と第２末端画素（１０２３）とを定義し、前記第２光源（１０３）が第３末端画素（１０３２）と第４末端画素（１０３３）とを定義し、前記ステージ（１０１）を前記光透過性シート（１）の下方に配置し、前記光透過性シート（１）に平行で、かつ互いに直交する第１方向軸（ｄ１）及び第２方向軸（ｄ２）を定義する工程ｂと、
前記第１光源（１０２）を前記第１補正パターン（１２）の位置に移動させるように、前記ステージ（１０１）を前記第１方向軸（ｄ１）に沿って移動させ、前記第１端点（１２１１）に前記第１末端画素（１０２２）を重畳させ、前記第２末端画素（１０２３）を前記第１直線（１２１）上に重畳して設けるように、前記第１端点（１２１１）を中心点として前記光透過性シート（１）を回転させる工程ｃと、
前記第１光源（１０２）を前記第２補正パターン（１３）の位置に移動させるように、前記ステージ（１０１）を前記第１方向軸（ｄ１）に沿って移動させ、前記第１末端画素（１０２２）及び前記第２末端画素（１０２３）を前記２つのＵ字形フレーム（１３２）の内部にそれぞれ収容する工程ｄと、
前記第１端点（１２１１）を中心点として前記光透過性シート（１）を回転させ、前記第１末端画素（１０２２）を前記第３端点（１３１１）に、前記第２末端画素（１０２３）を前記第２直線上（１３１）に重畳させるように、前記第１光源（１０２）を前記ステージ（１０１）に対して前記第１方向軸（ｄ１）に沿って移動させる工程ｅと、
前記第２光源（１０３）を前記第３補正パターン（１４）の位置に移動させるように、前記ステージ（１０１）を前記第１方向軸（ｄ１）に沿って移動させ、前記第３末端画素（１０３２）を前記第３直線（１４１）上に重畳し、かつ前記第５端点（１４１１）に隣接して配置するように、前記第２光源（１０３）を前記ステージ（１０１）に対して前記第１方向軸（ｄ１）に沿って移動させる工程ｆと、
前記第４末端画素（１０３３）を前記第３直線（１４１）上に重畳し、かつ前記第６端点（１４１２）に隣接して配置するように、前記第２光源（１０３）を前記ステージ（１０１）に対して前記第２方向軸（ｄ２）に沿って移動させる工程ｇと、を含むことを特徴とする多光源補正装置の使用方法。
【請求項９】
前記工程ａにおいて、
前記第１直線（１２１）、前記第２直線（１３１）及び前記第３直線（１４１）の長さが互いに等しく、
前記第１直線（１２１）と前記第２直線（１３１）とは、位置合わせして設置され、
前記第２直線（１３１）と前記第３直線（１４１）とは、位置ずれして配置されることを特徴とする請求項８に記載された多光源補正装置の使用方法。
【請求項１０】
前記工程ａにおいて、
前記光透過性シート（１）は、第４補正パターン（１５）をさらに備え、
前記第４補正パターン（１５）は、第４直線（１５１）と、当該第４直線（１５１）の上下側に間隔をおいて交互に配列される複数の黒セル（１５２）と、を有し、
前記第４直線（１５１）と前記複数の黒セル（１５２）との間には、複数の交点（１５３）を有することを特徴とする請求項８に記載された多光源補正装置の使用方法。
【請求項１１】
前記工程ｇの後に、前記ステージ（１０１）を介して前記第１光源（１０２）を前記第４補正パターン（１５）の位置に移動させ、前記第１光源（１０２）は、前記第１末端画素（１０２２）と前記第２末端画素（１０２３）との間に配置される複数の第１中間画素（１０２４）を有し、前記第１末端画素（１０２２）、前記第２末端画素（１０２３）及び前記複数の第１中間画素（１０２４）を前記複数の交点（１５３）にそれぞれ重畳させる工程ｈと、
前記工程ｈの後に、前記ステージ（１０１）を介して前記第２光源（１０３）を前記第４補正パターン（１５）の位置に移動させ、前記第２光源（１０３）は、前記第３末端画素（１０３２）と前記第４末端画素（１０３３）との間に配置される複数の第２中間画素（１０３４）を有し、前記第３末端画素（１０３２）、前記第４末端画素（１０３３）及び前記複数の第２中間画素（１０３４）を前記複数の交点（１５３）にそれぞれ重畳させる工程ｉと、をさらに含むことを特徴とする請求項１０に記載された多光源補正装置の使用方法。
【請求項１２】
前記工程ａにおいて、
前記第１補正パターン（１２）は、第１リングフレーム（１２２）をさらに有し、
前記第１直線（１２１）の前記第２端点（１２１２）に近い端部は、第１リングフレーム（１２２）内に収容され、
前記第２端点（１２１２）は、前記第１リングフレーム（１２２）上に重畳して設けられ、
前記工程ｃにおいて、
前記第２末端画素（１０２３）が前記第１直線（１２１）に重畳して設けられる場合、前記第２末端画素（１０２３）は、前記第１リングフレーム（１２２）の内部に収容されることを特徴とする請求項８に記載された多光源補正装置の使用方法。
【請求項１３】
前記工程ａにおいて、
前記第２補正パターン（１３）は、第２リングフレーム（１３３）をさらに有し、
前記第２リングフレーム（１３３）は、前記２つのＵ字形フレーム（１３２）の一方の内部の中間部に収容され、
前記第２直線（１３１）の前記第４端点（１３１２）に近い端部は、前記第２リングフレーム（１３３）内に収容され、
前記第４端点（１３１２）は、前記第２リングフレーム（１３３）上に重畳して設けられ、
前記工程ｅにおいて、
前記第２末端画素（１０２３）が前記第２直線（１３１）上に重畳して設けられる場合、前記第２末端画素（１０２３）は、前記第２リングフレーム（１３３）の内部に収容されることを特徴とする請求項８に記載された多光源補正装置の使用方法。
【請求項１４】
前記工程ａにおいて、
前記第３補正パターン（１４）は、２つの第３リングフレーム（１４２）をさらに有し、
前記第３直線（１４１）の両端部は、前記２つの第３リングフレーム（１４２）内にそれぞれ収容され、
前記第５端点（１４１１）は、前記２つの第３リングフレーム（１４２）の一方上に重畳して設けられ、
前記第６端点（１４１２）は、前記２つの第３リングフレーム（１４２）の他方上に重畳して設けられ、
前記工程ｆにおいて、
前記第２光源（１０３）を前記第３補正パターン（１４）の位置に移動させるように、前記ステージ（１０１）を前記第１方向軸（ｄ１）に沿って移動させる場合、前記第３末端画素（１０３２）は、前記２つの第３リングフレーム（１４２）の一方の内部に収容され、前記第４末端画素（１０３３）は、前記２つの第３リングフレーム（１４２）の他方の内部に収容され、
前記工程ｇにおいて、
前記第４末端画素（１０３３）が前記第３直線（１４１）上に重畳して設けられる場合、前記第４末端画素（１０３３）は、前記２つの第３リングフレーム（１４２）の他方の内部に収容されることを特徴とする請求項８に記載された多光源補正装置の使用方法。
【請求項１５】
前記工程ａにおいて、
前記光透過性シート（１）は、中空リベット（１６）と、光透過性回転シート（１７）と、光透過性並進シート（１８）と、シールシート（１９）とを含み、
前記中空リベット（１６）は、中空口（１６１）を有し、
前記光透過性回転シート（１７）と、前記光透過性並進シート（１８）とは、互いに重畳して設けられ、前記中空リベット（１６）に嵌合され、
前記シールシート（１９）は、前記中空リベット（１６）貼着され、前記中空口（１６１）を覆い、
前記第１直線（１２１）の一部、前記第２端点（１２１２）、前記第２補正パターン（１３）及び前記第３補正パターン（１４）は、前記光透過性回転シート（１７）上に形成され、前記第１直線（１２１）の他の一部及び前記第１端点（１２１１）は、前記シールシート（１９）上に形成され、
前記工程ｃにおいて、
前記光透過性シート（１）が前記第１端点（１２１１）を中心点として回転する場合、前記光透過性回転シート（１７）及び前記光透過性並進シート（１８）は、ともに前記第１端点（１２１１）を中心点として回転し、
前記工程ｅにおいて、
前記光透過性シート（１）が前記第１端点（１２１１）を中心点として回転する場合、前記光透過性回転シート（１７）は、前記第１端点（１２１１）を中心点として回転し、前記光透過性並進シート（１８）は、移動しないことを特徴とする請求項８に記載された多光源補正装置の使用方法。
【発明の詳細な説明】
【技術分野】
【０００１】
本発明は、光源に用いる補正パターンに関し、特に、多光源補正装置及びその使用方法に関する。
【背景技術】
【０００２】
３Ｄ印刷（３Ｄ  ｐｒｉｎｔｉｎｇ）とは、モデリングソフトウェアやＣＡＤ（ｃｏｍｐｕｔｅｒ−ａｉｄｅｄ  ｄｅｓｉｇｎ）によって構築された３Ｄモデルの設計情報を連続積層された複数の薄い材料層に変換する技術である。堆積された材料層は、その後に自然硬化または強い光源により固体化し、層毎に固体化して３次元物体を形成する。
【０００３】
現在、材料を硬化するための光源の多くは、レーザ光源を主に用いる。しかし、レーザ光源が対応する必要な光学部材に制限され、レーザ光源は、一定の焦点距離が必要とする。即ち、光源と成形材料との間には、所定の距離を保つ必要がある。そのため、形成されたオブジェクトが比較的に大きい場合、２つ以上の光源を用いて照射して硬化させる必要がある。
【発明の概要】
【発明が解決しようとする課題】
【０００４】
しかしながら、２つ以上の光源による硬化は、光源と移動ステージとの間にずれ問題があるため、各光源間のずれ問題も存在する。そのため、光源の数が多いほど、光源の照射精度が低くなる。そこで、本発明の主な課題は、複数の光源の位置を補正し、所定の完成品を正確に硬化して成形することである。
【０００５】
以上に鑑みて、本発明の発明者は、研究と理論の使用とによって有効に上記の問題を解決することは、本発明者の改良の目標となっている。
【課題を解決するための手段】
【０００６】
本発明の一実施形態において、光源補正装置は、第１補正パターンと、第２補正パターンと、少なくとも１つの第３補正パターンとを備える光透過性シートを含み、前記第１補正パターンは、第１直線を有し、前記第１直線の両端には、第１端点と、第２端点とが形成され、前記第２補正パターンは、第２直線と、２つのＵ字形フレームとを有し、前記第２直線の両端には、第３端点と、第４端点とが形成され、前記２つのＵ字形フレームは、前記第３端点及び前記第４端点の外部にそれぞれ設けられ、前記第３補正パターンは、第３直線を有し、前記第３直線の両端には、第５端点と、第６端点とが形成され、前記第１直線、前記第２直線及び前記第３直線は、互いに平行に配置される。
【０００７】
本発明の一実施形態において、多光源補正装置の使用方法は、多光源補正装置を提供する工程であって、当該多光源補正装置は、第１補正パターンと、第２補正パターンと、少なくとも１つの第３補正パターンとを備える光透過性シートを含み、前記第１補正パターンは、第１直線を有し、当該第１直線の両端には、第１端点と、第２端点とが形成され、前記第２補正パターンは、第２直線と、２つのＵ字形フレームとを有し、前記第２直線の両端には、第３端点と、第４端点とが形成され、前記２つのＵ字形フレームは、前記第３端点及び前記第４端点の外部にそれぞれ設けられ、前記第３補正パターンは、第３直線を有し、前記第３直線の両端には、第５端点と、第６端点とが形成され、前記第１直線、前記第２直線及び前記第３直線は、互いに平行に配置される工程ａと、光源モジュールを提供する工程であって、当該光源モジュールは、ステージと、第１光源と、少なくとも１つの第２光源とを含み、前記第１光源及び前記第２光源は、前記ステージ上にそれぞれ取り付けられ、前記第１光源が第１末端画素と第２末端画素とを定義し、前記第２光源が第３末端画素と第４末端画素とを定義し、前記ステージを前記光透過性シートの下方に配置し、前記光透過性シートに平行で、かつ互いに直交する第１方向軸及び第２方向軸を定義する工程ｂと、前記第１光源を前記第１補正パターンの位置に移動させるように、前記ステージを前記第１方向軸に沿って移動させ、前記第１端点に前記第１末端画素を重畳させ、前記第２末端画素を前記第１直線上に重畳して設けるように、前記第１端点を中心点として前記光透過性シートを回転させる工程ｃと、前記第１光源を前記第２補正パターンの位置に移動させるように、前記ステージを前記第１方向軸に沿って移動させ、前記第１末端画素及び前記第２末端画素を前記２つのＵ字形フレームの内部にそれぞれ収容する工程ｄと、前記第１端点を中心点として前記光透過性シートを回転させ、前記第１末端画素を前記第３端点に、前記第２末端画素を前記第２直線に重畳させるように、前記第１光源を前記ステージに対して前記第１方向軸に沿って移動させる工程ｅと、前記第２光源を前記第３補正パターンの位置に移動させるように、前記ステージを前記第１方向軸に沿って移動させ、前記第３末端画素を前記第２直線上に重畳し、かつ前記第５端点に隣接して配置するように、前記第２光源を前記ステージに対して前記第１方向軸に沿って移動させる工程ｆと、前記第４末端画素を前記第３直線上に重畳し、かつ前記第６端点に隣接して配置するように、前記第２光源を前記ステージに対して前記第２方向軸に沿って移動させる工程ｇとを含む。
【発明の効果】
【０００８】
本発明は、多光源補正装置及びその使用方法を提供する。第１補正パターン、第２補正パターン及び第３補正パターンは、光透過性シート上に共に形成され、多光源に対応して位置を正確に補正することにより、光源とステージとの間のずれ及び多光源間のずれを低減することができる。その結果、本発明の多光源補正装置は、正確な補正及び利便的な操作を実現することができる。
【図面の簡単な説明】
【０００９】
【図１Ａ】本発明の多光源補正装置の使用方法の工程ａ〜工程ｄを示すフローチャットである。
【図１Ｂ】本発明の多光源補正装置の使用方法の工程ｅ〜工程ｉを示すフローチャットである。
【図２】本発明のステージが光透過性シートの下方に配置されている様子を示す概略図である。
【図３】本発明の多光源補正装置を示す上面概略図である。
【図４】本発明の多光源補正装置を示す断面概略図である。
【図５】本発明の第１光源により定義された第１末端画素及び第２末端画素を示す概略図である。
【図６】本発明の第２光源により定義された第３末端画素及び第４末端画素を示す概略図である。
【図７】本発明の光透過性シートを第１端点を中心点として回転させようとする様子を示す概略図である。
【図８】本発明の第２末端画素が第１直線に重畳して設けられている様子を示す概略図である。
【図９】本発明のステージが第１方向軸に沿って移動する様子を示す概略図である。
【図１０】本発明の第１末端画素及び第２末端画素が２つのＵ字形フレームの内部にそれぞれ収容されている様子を示す概略図である。
【図１１】本発明の第１末端画素が第３端点に重畳されている様子を示す概略図である。
【図１２】第１光源がステージに対して第１方向軸に沿って移動する様子を示す概略図である。
【図１３】本発明の第２末端画素が第２直線に重畳して設けられている様子を示す概略図である。
【図１４】本発明のステージが第１方向軸に沿って移動する様子を示す他の概略図である。
【図１５】本発明の第３末端画素が第３直線上に重畳され、かつ第５端点に隣接して配置されている様子を示す概略図である。
【図１６】第２光源がステージに対して第２方向軸に沿って移動する様子を示す概略図である。
【図１７】本発明の第４末端画素が第３直線上に重畳され、かつ第６端点に隣接して配置されている様子を示す概略図である。
【図１８】本発明の第３補正パターンの数が複数である様子を示す概略図である。
【図１９】本発明の第２光源の数が複数である様子を示す概略図である。
【図２０】本発明の第１光源が第４補正パターンの位置に移動する様子を示す概略図である。
【図２１】本発明の第１末端画素、第２末端画素、及び第１中間画素を示す概略図である。
【図２２】本発明の第１末端画素、第２末端画素、及び第１中間画素が複数の交点にそれぞれ重畳されている様子を示す概略図である。
【発明を実施するための形態】
【００１０】
本発明の詳細な説明及び技術内容について、図面を参照して以下に説明するが、図面は、ただ参考及び説明に用いるのみであり、本発明の特許請求の範囲に制限を加えるものではない。
【００１１】
図１Ａ、図１Ｂ〜図２２を参照する。本発明は、多光源補正装置及びその使用方法を提供する。多光源補正装置は、主として光透過性シート１を含む。
【００１２】
図１Ａにおける工程ａ及び図２〜図４に示すように、多光源補正装置１０を提供する。多光源補正装置１０は、第１補正パターン１２と、第２補正パターン１３と、１つ又は複数の第３補正パターン１４とを備える光透過性シート１を含む。第１補正パターン１２は、第１直線１２１を有し、第１直線１２１の両端には、第１端点１２１１と、第２端点１２１２とが形成される。第２補正パターン１３は、第２直線１３１と、２つのＵ字形フレーム１３２とを有し、第２直線１３１の両端には、第３端点１３１１と、第４端点１３１２とが形成され、２つのＵ字形フレーム１３２は、第３端点１３１１及び第４端点１３１２の外部にそれぞれ設けられる。第３補正パターン１４は、第３直線１４１を有し、第３直線１４１の両端には、第５端点１４１１と、第６端点１４１２とが形成される。第１直線１２１、第２直線１３１及び第３直線１４１が互いに平行に配置され、光透過性シート１に平行で、かつ互いに直交する第１方向軸ｄ１及び第２方向軸ｄ２を定義する。
【００１３】
詳細には、図２〜図３に示すように、第１直線１２１、第２直線１３１及び第３直線１４１の長さが互いに等しい。ここで、第１補正パターン１２及び第２補正パターン１３は、第１光源１０２を補正するために用いられ、第３補正パターン１４は、第２光源１０３を補正するために用いられる。第１光源１０２と第２光源１０３炉の間に間隔を有するため、第１直線１２１と第２直線１３１とは、位置合わせして設置され、第２直線１３１と第３直線１４１とは、位置ずれして配置される。
【００１４】
また、図３に示すように、第１補正パターン１２は、第１リングフレーム１２２をさらに有する。第１直線１２１の第２端点１２１２に近い端部は、第１リングフレーム１２２内に収容され、第２端点１２１２は、第１リングフレーム１２２上に重畳して設けられる。
【００１５】
そして、図３に示すように、第２補正パターン１３は、第２リングフレーム１３３をさらに有する。第２リングフレーム１３３は、一方のＵ字形フレーム１３２の内部の中間部に収容され、第２直線１３１の第４端点１３１２に近い端部は、第２リングフレーム１３３内に収容され、第４端点１３１２は、第２リングフレーム１３３上に重畳して設けられる。
【００１６】
さらに、図３に示すように、第３補正パターン１４は、２つの第３リングフレーム１４２をさらに有する。第３直線１４１の両端部は、２つの第３リングフレーム１４２内にそれぞれ収容され、第５端点１４１１は、２つの第３リングフレーム１４２の一方上に重畳して設けられ、第６端点１４１２は、２つの第３リングフレーム１４２の他方上に重畳して設けられる。
【００１７】
また、図３に示すように、光透過性シート１は、第４補正パターン１５をさらに備える。第４補正パターン１５は、第４直線１５１と、第４直線１５１の上下側に間隔をおいて交互に配列される複数の黒セル１５２と、を有し、第４直線１５１と複数の黒セル１５２との間には、複数の交点１５３を有する。
【００１８】
そして、図３〜図４に示すように、光透過性シート１は、中空リベット１６と、光透過性回転シート１７と、光透過性並進シート１８と、シールシート１９とを含む。中空リベット１６は、中空口１６１を有し、光透過性回転シート１７と、光透過性並進シート１８とは、互いに重畳して設けられ、中空リベット１６に嵌合され、シールシート１９は、中空リベット１６貼着され、中空口１６１を覆い、第１直線１２１の一部、第２端点１２１２、第２補正パターン１３及び第３補正パターン１４は、光透過性回転シート１７上に形成され、第１直線１２１の他の一部及び第１端点１２１１は、シールシート１９上に形成される。
【００１９】
図１Ａの工程ｂ、図２及び図４〜図６に示すように、光源モジュール１００を提供し、光源モジュール１００は、ステージ１０１と、第１光源１０２と、複数の第２光源１０３とを含む。第１光源１０２及び第２光源１０３は、ステージ１０１上にそれぞれ取り付けられ、第１光源１０２が第１末端画素１０２２と第２末端画素１０２３とを定義し、第２光源１０３が第３末端画素１０３２と第４末端画素１０３３とを定義し、ステージ１０１を光透過性シート１の下方に配置する。
【００２０】
第１光源１０２は、複数の画素が一列に並列された第１光線を有し、この第１光線における最左端及び最右端の画素は、それぞれ、第１末端画素１０２２及び第２末端画素１０２３である。第２光源１０３は、複数の画素が一列に並列された第２光線を有し、この第２光線における最左端及び最右端の画素は、それぞれ、第３末端画素１０３２及び第４末端画素１０３３である。
【００２１】
詳細に、図２〜図６に示すように、光源モジュール１００は、第１駆動機構１０４と、第２駆動機構１０５と、１つ又は複数の第３駆動機構１０６とをさらに含む。第１駆動機構１０４は、ステージ１０１に接続され、ステージ１０１を第１方向軸ｄ１に沿って移動させるように駆動する。第２駆動機構１０５は、第１光源１０２に接続され、第１光源１０２をステージ１０１に対して第１方向軸ｄ１に沿って移動させるように駆動する。第３駆動機構１０６は、第２光源１０３に接続され、第２光源１０３をステージ１０１に対して第１方向軸ｄ１又は第２方向軸ｄ２に沿って移動させるように駆動する。
【００２２】
図１Ａの工程ｃ、図５及び図７〜図８に示すように、第１光源１０２を第１補正パターン１２の位置に移動させるように、ステージ１０１を第１方向軸ｄ１に沿って移動させ、さらに、第１端点１２１１に第１末端画素１０２２を重畳させ、第２末端画素１０２３を第１直線１２１上に重畳して設けるように、第１端点１２１１を中心点として光透過性シート１を回転させる。
【００２３】
光透過性シート１が第１端点１２１１を中心点として回転する場合、光透過性回転シート１７及び光透過性並進シート１８は、ともに第１端点１２１１を中心点として回転する。
【００２４】
第２末端画素１０２３が第１直線１２１上に重畳して設けられる場合には、第２末端画素１０２３が第１リングフレーム１２２の内部に収容されると、光透過性シート１と第１光源１０２との位置合わせが完成することを示す。第２末端画素１０２３が第１リングフレーム１２２の内部に収容されていないと、第１光源１０２の境界が範囲を超えて補正不能であることを示す。そのため、光源モジュール１００に対して直接回収処理を行う。
【００２５】
図１Ａの工程ｄ及び図９〜図１０に示すように、第１光源１０２を第２補正パターン１３の位置に移動させるように、ステージ１０１を第１方向軸ｄ１に沿って移動させ、第１末端画素１０２２及び第２末端画素１０２３を２つのＵ字形フレーム１３２の内部にそれぞれ収容する。第１末端画素１０２２及び第２末端画素１０２３を２つのＵ字形フレーム１３２の内部にそれぞれ収容できないと、ステージ１０１が変形して補正不能であることを示す。そのため、光源モジュール１００に対して直接回収処理を行う。
【００２６】
図１Ｂの工程ｅ及び図１１〜図１３に示すように、第１端点１２１１を中心点として光透過性シート１を回転させ、第１末端画素１０２２を第３端点１３１１に、第２末端画素１０２３を第２直線１３１上に重畳させるように、第１光源１０２をステージ１０１に対して第１方向軸ｄ１に沿って移動させる。
【００２７】
光透過性シート１が第１端点１２１１を中心点として回転する場合、光透過性回転シート１７は、第１端点１２１１を中心点として回転し、光透過性並進シート１８は、工程ｃにおいて位置決めが完成するため、移動しない。
【００２８】
また、第２末端画素１０２３が第２直線１３１上に重畳して設けられる場合には、第２末端画素１０２３が第２リングフレーム１３３の内部に収容されると、補正されたステージ１０１が第１方向軸ｄ１に対して垂直となっていることを示す。第２末端画素１０２３が第２リングフレーム１３３の内部に収容されていないと、第１駆動機構１０４が変形して補正不能であることを示す。そのため、光源モジュール１００に対して直接回収処理を行う。
【００２９】
図１Ｂの工程ｆ及び図１４〜図１５に示すように、第２光源１０３を第３補正パターン１４の位置に移動させるように、ステージ１０１を第１方向軸ｄ１に沿って移動させ、第３末端画素１０３２を第３直線１４１上に重畳し、かつ第５端点１４１１に隣接して配置するように、第２光源１０３をステージ１０１に対して第１方向軸ｄ１に沿って移動させる。
【００３０】
第２光源１０３を第３補正パターン１４の位置に移動させるように、ステージ１０１を第１方向軸ｄ１に沿って移動させる場合、第３末端画素１０３２は、一方の第３リングフレーム１４２の内部に収容され、第４末端画素１０３３は、他方の第３リングフレーム１４２の内部に収容される。第３末端画素１０３２及び第４末端画素１０３３が２つの第３リングフレーム１４２の内部に収容されていないと、ステージ１０１が変形して補正不能であることを示す。そのため、光源モジュール１００に対して直接回収処理を行う。
【００３１】
図１Ｂの工程ｇ及び図１６〜図１７に示すように、第４末端画素１０３３を第３直線１４１上に重畳し、かつ第６端点１４１２に隣接して配置するように、第２光源１０３をステージ１０１に対して第２方向軸ｄ２に沿って移動させる。
【００３２】
第４末端画素１０３３が第３直線１４１上に重畳して設けられる場合、第４末端画素１０３３は、他方の第３リングフレーム１４２の内部に収容されると、第１光源１０２と第２光源１０３との位置合わせが完成することを示す。第４末端画素１０３３が他方の第３リングフレーム１４２の内部に収容されていないと、第２光源１０３の境界が範囲を超えて補正不能であることを示す。そのため、光源モジュール１００に対して直接回収処理を行う。
【００３３】
また、図１８〜図１９に示すように、第３補正パターン１４、第２光源１０３の数量、工程ｆ、工程ｇの工程が繰り返す回数は、複数であり、同じである。複数の第２光源１０３は、互いの間に間隔があるため、複数の第３直線１４１は、互いに位置ずれして配置される。
【００３４】
複数の第２光源１０３の補正方法については、詳しく説明する。第１光源１０２に最も近い（第１隣接の）第２光源１０３は、第２補正パターン１３に最も近い（第１隣接の）第３補正パターン１４に対応し、工程ｆ、工程ｇの補正を行い、その後、第１光源１０２に次に近い（第２隣接の）第２光源１０３は、第２補正パターン１３に次に近い（第２隣接の）第３補正パターン１４に対応し、工程ｆ、工程ｇの補正を行う。このように、工程ｆ、工程ｇの補正を順に繰り返して行い、複数の第２光源１０３の補正を完成させることができる。
【００３５】
本発明の多光源補正装置１０の使用方法は、工程ｇの後の工程ｈをさらに含む。図１Ｂの工程ｈ及び図２１〜図２２に示すように、ステージ１０１を介して第１光源１０２を第４補正パターン１５の位置に移動させ、第１光源１０２は、第１末端画素１０２２と第２末端画素１０２３との間に配置される複数の第１中間画素１０２４を有し、第１末端画素１０２２、第２末端画素１０２３及び複数の第１中間画素１０２４を複数の交点１５３にそれぞれ重畳させる。
【００３６】
詳細には、第１末端画素１０２２、第２末端画素１０２３及び複数の第１中間画素１０２４が一列に並列されて第１光線になるため、第１末端画素１０２２、第２末端画素１０２３及び複数の第１中間画素１０２４が必ず共に第４直線１５１上に重畳して設けられる。仮に、第１末端画素１０２２、第２末端画素１０２３及び複数の第１中間画素１０２４が共に第４直線１５１上に重畳して設けられることができない場合、第１駆動機構１０４に問題があり、補正できないことを示す。そのため、光源モジュール１００に対して直接回収処理を行う。
【００３７】
また、ステージ１０１のみを介して第１光源１０２を第４補正パターン１５の位置に移動させる場合、第１末端画素１０２２、第２末端画素１０２３及び複数の第１中間画素１０２４は、複数の交点１５３上に重畳されていないことがある。このとき、ソフトウェアを用いて交点１５３上に重畳できる画素を点灯し、交点１５３上に重畳できない画素を消灯すると、第１末端画素１０２２、第２末端画素１０２３及び複数の第１中間画素１０２４が複数の交点１５３にそれぞれ重畳する目的を達成することができ、第１光源１０２の画素の補正を完成させる。
【００３８】
本発明の多光源補正装置１０の使用方法は、工程ｈの後の工程ｉをさらに含む。図１Ｂの工程ｉに示すように、ステージ１０１を介して第２光源１０３を第４補正パターン１５の位置に移動させる。第２光源１０３は、第３末端画素１０３２と第４末端画素１０３３との間に配置される複数の第２中間画素１０３４を有する。第３末端画素１０３２、第４末端画素１０３３及び複数の第２中間画素１０３４を複数の交点１５３にそれぞれ重畳させることにより、第２光源１０３の画素の補正を完成させる。ここで、工程ｉと工程ｈとの補正原理が同じであるため、その説明を省略する。
【００３９】
また、本実施形態において、第１リングフレーム１２２、第２リングフレーム１３３、第３リングフレーム１４２及び黒セル１５２の形状は、正方形であるが、これに限定されない。本実施形態において、第１リングフレーム１２２、第２リングフレーム１３３、第３リングフレーム１４２及び黒セル１５２の形状は、実際の状況に応じて矩形、多角形、円形等の幾何学図形であってもよい。
【００４０】
上述したように、第１補正パターン１２、第２補正パターン１３、第３補正パターン１４及び第４補正パターン１５は、光透過性シート１上に共に形成され、多光源に対応して位置を正確に補正することにより、光源とステージとの間のずれ及び多光源間のずれを低減することができる。その結果、本発明の多光源補正装置１０は、正確な補正及び利便的な操作を実現することができる。
【００４１】
また、第１リングフレーム１２２、Ｕ字形フレーム１３２、第２リングフレーム１３３、第３リングフレーム１４２、第４直線１５１等の図形を用いて不良部品を判断かつ回収することができる。その結果、多光源補正装置１０の組立精度を向上させることができる。
【００４２】
さらに、工程ａ〜工程ｉに照らして順に行うことで、多光源の補正を完成させることができる。過程中に作業中断やハーフタイム等の一時停止が発生すると、画素の位置が第１補正パターン１２、第２補正パターン１３、第３補正パターン１４及び第４補正パターン１５での位置を見れば、補正がどの工程を進めることがすぐ分かる。これにより、補正作業を迅速に続くことができ、光源補正の円滑さを向上させることができる。
【００４３】
以上、本発明に係る多光源補正装置及びその使用方法は、同類の製品に見られず、公開使用もされていないものであり、また、産業上の利用可能性、新規性および進歩性を備えたものである。このため、本発明に係る多光源補正装置及びその使用方法は、発明特許の出願要件を完全に満たすものであり、ここに特許法に基づき特許を出願するに至ったものである。
【符号の説明】
【００４４】
１０…多光源補正装置
１…光透過性シート
１２…第１補正パターン
１２１…第１直線
１２１１…第１端点
１２１２…第２端点
１２２…第１リングフレーム
１３…第２補正パターン
１３１…第２直線
１３１１…第３端点
１３１２…第４端点
１３２…Ｕ字形フレーム
１３３…第２リングフレーム
１４…第３補正パターン
１４１…第３直線
１４１１…第５端点
１４１２…第６端点
１４２…第３リングフレーム
１５…第４補正パターン
１５１…第４直線
１５２…黒セル
１５３…交点
１６…中空リベット
１６１…中空口
１７…光透過性回転シート
１８…光透過性並進シート
１９…シールシート
１００…光源モジュール
１０１…ステージ
１０２…第１光源
１０２２…第１末端画素
１０２３…第２末端画素
１０２４…第１中間画素
１０３…第２光源
１０３２…第３末端画素
１０３３…第４末端画素
１０３４…第２中間画素
１０４…第１駆動機構
１０５…第２駆動機構
１０６…第３駆動機構
ｄ１…第１方向軸
ｄ２…第１方向軸
【図１Ａ】
2019006098.tif 000003
【図１Ｂ】
2019006098.tif 000004
【図２】
2019006098.tif 000005
【図３】
2019006098.tif 000006
【図４】
2019006098.tif 000007
【図５】
2019006098.tif 000008
【図６】
2019006098.tif 000009
【図７】
2019006098.tif 000010
【図８】
2019006098.tif 000011
【図９】
2019006098.tif 000012
【図１０】
2019006098.tif 000013
【図１１】
2019006098.tif 000014
【図１２】
2019006098.tif 000015
【図１３】
2019006098.tif 000016
【図１４】
2019006098.tif 000017
【図１５】
2019006098.tif 000018
【図１６】
2019006098.tif 000019
【図１７】
2019006098.tif 000020
【図１８】
2019006098.tif 000021
【図１９】
2019006098.tif 000022
【図２０】
2019006098.tif 000023
【図２１】
2019006098.tif 000024
【図２２】
2019006098.tif 000025